(57)【特許請求の範囲】
【請求項１】
内外両箱間に断熱材を設けて形成し、前面に開口を有すると共に、冷却器を収納した冷却室を画成する横長の断熱箱体と、該断熱箱体の側部に設けられ、前記冷却器と共に冷凍サイクルを構成する凝縮器、圧縮機等を収納した機械室と、前記断熱箱体内の上部に設けられ、前記冷却室の吐出口に対向して横方向に延在すると共に、前面及び側面に冷気吹出口を形成したダクトと、前記断熱箱体の前面開口を開閉自在に閉塞する断熱扉と、該断熱扉の平坦な内面側に固定された支柱に着脱自在に、且つ上下方向移動可能に設けられ、熱伝導性の良好な部材にて形成されると共に、断熱扉内面との間に隙間が形成されている収納棚とを備えたことを特徴とする横型冷蔵庫。
【請求項２】
内外両箱間に断熱材を設けて形成し、前面に開口を有すると共に、冷却器を収納した冷却室を画成する横長の断熱箱体と、該断熱箱体の側部に設けられ、前記冷却器と共に冷凍サイクルを構成する凝縮器、圧縮機等を収納した機械室と、前記断熱箱体内の上部に設けられ、前記冷却室の吐出口に対向して横方向に延在すると共に、前面及び側面に冷気吹出口を形成したダクトと、前記断熱箱体の前面開口を開閉自在に閉塞する断熱扉と、該断熱扉の平坦な内面側に固定された支柱に着脱自在に、且つ上下方向移動可能に設けられ、熱伝導性の良好な部材にて形成されると共に、底部に冷気通過穴が形成されている収納棚とを備えたことを特徴とする横型冷蔵庫。
【発明の詳細な説明】
【０００１】
【産業上の利用分野】
本発明は、一般的にアンダーカウンターと称する横型業務用冷蔵庫に関する。
【０００２】
【従来の技術】
従来この種冷蔵庫は、例えば特開平１ー２６３４８３号公報（Ｆ２５Ｄ  ２３／００）に示す如く、第１の冷却室を画成する断熱箱体の天壁の上面に作業部を形成すると共に、天壁の後部に開口を形成し、該開口の上方に前記第１冷却室と連通する第２冷却室を画成して食材容器を取り出し自在に収納する上下面開口の断熱突出壁体を形成して成る横型業務用冷蔵庫が開示されている。
【０００３】
【発明が解決しようとする課題】
上述した従来技術は、大型の瓶等を収納する際、横に寝かさなければ入らず、使い勝手の悪いものであった。また、実公平５ー５４２５号公報（Ｆ２５Ｄ  ２１／１４）には、家庭用冷蔵庫の断熱扉内側に樹脂製の収納容器が設けられている構成が開示されているが、収納容器が一体成型であるため、この収納容器部分での冷気の流れが阻害され、貯蔵品の冷却にムラが生じる問題があった。
【０００４】
本発明は上述した問題点に鑑みてなされたもので、冷気の流れを阻害することなく、貯蔵品を良好に冷却することを目的とした横型冷蔵庫を提供するものである。
【０００５】
【課題を解決するための手段】
上記目的を達成するための手段として、請求項１の発明では、内外両箱間に断熱材を設けて形成し、前面に開口を有すると共に、冷却器を収納した冷却室を画成する横長の断熱箱体と、該断熱箱体の側部に設けられ、前記冷却器と共に冷凍サイクルを構成する凝縮器、圧縮機等を収納した機械室と、前記断熱箱体内の上部に設けられ、前記冷却室の吐出口に対向して横方向に延在すると共に、前面及び側面に冷気吹出口を形成したダクトと、前記断熱箱体の前面開口を開閉自在に閉塞する断熱扉と、該断熱扉の平坦な内面側に固定された支柱に着脱自在に、且つ上下方向移動可能に設けられ、熱伝導性の良好な部材にて形成されると共に、断熱扉内面との間に隙間が形成されている収納棚とを備えてなる横型冷蔵庫を提供する。
【０００６】
また、請求項２の発明として、内外両箱間に断熱材を設けて形成し、前面に開口を有すると共に、冷却器を収納した冷却室を画成する横長の断熱箱体と、該断熱箱体の側部に設けられ、前記冷却器と共に冷凍サイクルを構成する凝縮器、圧縮機等を収納した機械室と、前記断熱箱体内の上部に設けられ、前記冷却室の吐出口に対向して横方向に延在すると共に、前面及び側面に冷気吹出口を形成したダクトと、前記断熱箱体の前面開口を開閉自在に閉塞する断熱扉と、該断熱扉の平坦な内面側に固定された支柱に着脱自在に、且つ上下方向移動可能に設けられ、熱伝導性の良好な部材にて形成されると共に、底部に冷気通過穴が形成されている収納棚とを備えてなる横型冷蔵庫を提供する。
【０００７】
【作用】
請求項１の発明では、冷却室の吐出口にはダクトが接続されており、このダクトは前側及び側方に冷気吹出口が形成されていると共に、断熱扉内面と収納棚との間には支柱によって隙間が形成されているため、側方に吹き出される冷気は庫内に載置した貯蔵品を冷却し、前側に吹き出される冷気は収納棚の貯蔵品を冷却すると共に、収納棚と扉内面との間の隙間を通過した後庫内底部に流れる。このため、収納棚にて冷気が遮られることを防止する。
【０００８】
また、請求項２の発明では、収納棚自体に冷気通過穴が形成されている関係上、冷気が収納棚に遮られることを防止する。
【０００９】
【実施例】
以下、本発明の実施例を図面に基づいて説明する。図１は本発明を具備する横型業務用冷蔵庫の正面図、図２は図１のＢーＢ断面図、図３は図１のＡーＡ断面図、図４は収納棚の第１の取付け状態図、図５は図４の上面図、図６は収納棚の冷気の流れを示した図、図７は第２の取付け状態に於ける断熱扉裏面からの正面図、図８は図７の収納棚取付け時の上面図、図９は図８の側面図、図１０は図９の取付け時の斜視図である。
【００１０】
図１乃至図３に示す１は貯蔵室２を画成する横長の断熱箱体で、ステンレス製の内箱３及び外箱４と両箱間に発泡充填された断熱材５によって構成されている。この断熱箱体１は前面に開口６を有しており、断熱扉７にて開閉自在に閉塞されている。また側方には、圧縮機８Ａ、凝縮器８Ｂ、凝縮器冷却用ファン８Ｃにて構成されたコンデンシングユニットを収納し、二点鎖線に示す範囲で回動自在なカバー９にて閉塞されて成る機械室８が並設されている。また、カバー９の下部にはコンデンシングユニットを冷却するための吸気ダクト９Ａが形成されている。尚、１０は作業者の作業台となるトップテーブルで、１Ａは台脚、２６は圧縮機８Ａを作動させる電源のコードである。
【００１１】
また、前記断熱箱体１の側方、即ち前記機械室８の上方には、貯蔵室２内を冷却するための冷却室１４が設けられており、この冷却室１４は、前述したコンデンシングユニットと共に冷凍サイクルを構成する冷却器１２、この冷却器１２にて熱交換された冷気を循環供給する冷気循環ファン１３にて構成され、冷却器１２及び冷気循環ファン１３を冷却室カバー１５にて被覆している。この冷却室カバー１５は下部が貯蔵室２内の空気を吸い込む吸込口１９が形成され、上部には冷却器２にて熱交換した後の冷気を吐出する吐出口２０が設けられている。また、この吐出口２０は前記断熱箱体１の内側上面に取り付けられたダクト２１に接続されている。このダクト２１は前面、側面及び下面に冷気吹出口２２、２３、２４が形成されており、前面冷気吹出口２２は断熱扉７方向へ冷気を吹き出し、側面冷気吹出口２３は貯蔵室の冷却室１４とは反対側に冷気を吹き出し、下面冷気吹出口２４は貯蔵室２の棚２５に載置した貯蔵品を直接冷却するものである。
【００１２】
以下に本発明の要旨を示す第１実施例を図４及び図５を参照して説明する。
断熱扉７と前記断熱箱体１開口縁との当接面にはガスケット２７が設けられていると共に、外側上部には取手３１が設けられている。この断熱扉７の貯蔵室２側には瓶等の縦長の貯蔵品を収納するため収納棚２８が設けられており、この収納棚２８は断熱扉７内に埋設された支持支柱２９に螺子３０にて止着する構造である。また、この収納棚２８は、ステンレス（ＳＵＳ）等の熱伝導性の良好な部材にて形成されると共に、底面、前面及び左右側面には冷気が通過する冷気通過穴３１が設けられており、上下方向に移動可能な構成である。この冷気通過穴３１は、丁度人間の指が容易に挿入可能な大きさとすると共に、少なくとも収納棚２８の左右両側部に複数個形成することにより収納棚２８着脱時の取手として作用するものである。また、この収納棚２８は後板より前板の方が低く形成され、貯蔵品が取り出し易い様に形成されている。尚、前記棚２５は収納棚２８が干渉しない様に、収納棚２８にあたる部分には逃げ部が形成されているものである。
【００１３】
次に、第２実施例について図６乃至図１０を参照して説明する。
基本的構造は第１実施例と同様で、断熱扉７と前記断熱箱体１開口縁との当接面にはガスケット２７が設けられていると共に、外側上部には取手３１が設けられている。この断熱扉７の貯蔵室２側には瓶等の縦長の貯蔵品を収納するため収納棚２８が設けられており、この収納棚２８は断熱扉７内面に設けられ、複数の引掛孔３２を形成した支柱３３に収納棚２８の引掛具３４を引き掛けて止める構造である。従って、引掛孔３２を多数形成することにより、収納棚２８を上下方向に任意の位置に移動させることができる。尚、支柱３３はスポット溶接にて断熱扉７の内面に溶着するものであり、収納棚２８取付け時には収納棚２８と断熱扉７内面との間に隙間３５が形成されるものである。また、この収納棚２８はステンレス（ＳＵＳ）等の熱伝導性の良好な部材にて形成されると共に、底面、前面及び左右側面には冷気が通過する冷気通過穴３１が設けられており、上下方向に移動可能な構成である。この冷気通過穴３１は、丁度人間の指が容易に挿入可能な大きさとすると共に、少なくとも収納棚２８の左右両側部に複数個形成することにより収納棚２８着脱時の取手として作用するものである。また、この収納棚２８は後板より前板の方が低く形成され、貯蔵品が取り出し易い様に形成されている。
【００１４】
以上の構成にして、冷気の流れを図１乃至図３に於いて説明する。
冷却室カバー１５の吸込口１９から貯蔵室２内の空気を吸い込むと、冷却室１４内の冷却器１２にて熱交換され、冷却室１４の吐出口２０に接続されているダクト２１に流入する。ダクト２１には前面冷気吹出口２２、側面冷気吹出口２３及び下面冷気吹出口２４が夫々設けられている関係上、前面冷気吹出口２２から吹き出された冷気は断熱扉内面に沿って流れ、第１実施例では収納棚２８に形成されている冷気通過孔３１を通過して貯蔵室２の下部に流れ、棚２５に載置されている貯蔵品を冷却した後、再び冷却室カバー１５の吸込口１９から冷却室１４内に吸い込まれる。また第２実施例では、断熱扉７と収納棚２８との間に隙間３５が形成される関係上、この隙間から冷気が貯蔵室２の下部に流れることとなる。また、側面冷気吹出口２３から吹き出される冷気は、冷却室１４とは反対側の貯蔵室２の端に載置された貯蔵品を冷却し、冷却室１４側へと流れ冷却室カバー１５の吸込口１９から冷却室１４内に吸い込まれる。更に、下面冷気吹出口２４から吹き出される冷気は貯蔵室２の中央部付近の貯蔵品を冷却した後、冷却室カバー１５の吸込口１９から冷却室１４内に吸い込まれる。
【００１５】
以上説明した様に、請求項１の発明では、熱伝導性の良好な部材（ステンレス等）にて形成した収納棚２８と断熱扉７内面との間に隙間を形成したに設けたため、ダクト２１前側に吹き出される冷気は収納棚２８の貯蔵品を冷却すると共に、収納棚２８と断熱扉７内面との間の隙間３５を通過した後、貯蔵室２内底部に流れる。このため、冷気は貯蔵室２内の貯蔵品及び収納棚２８の貯蔵品を満遍なく冷却し、収納貯蔵品を高品質に保つことができる。
【００１６】
また、請求項２の発明では、収納棚自体に冷気通過穴３１が形成されている関係上、冷気が収納棚２８に遮られることを防止し、貯蔵室２内の冷却ムラを防止するため、収納貯蔵品を高品質に保つことができる。
【００１７】
【発明の効果】
以上説明した様に、請求項１の発明によれば、熱伝導性の良好な部材（ステンレス等）にて形成した収納棚と断熱扉内面との間に支柱によって隙間を形成して設けたため、ダクト前側に吹き出される冷気は収納棚の貯蔵品を冷却すると共に、収納棚と断熱扉内面との間の隙間を通過した後、貯蔵室内底部に流れる。このため、冷気は貯蔵室内の貯蔵品及び収納棚の貯蔵品を満遍なく冷却し、収納貯蔵品を高品質に保つことができる効果を奏する。
【００１８】
また、請求項２の発明では、収納棚自体に冷気通過穴が形成されている関係上、冷気が収納棚に遮られることを防止し、貯蔵室内の冷却ムラを防止するため、収納貯蔵品を高品質に保つことができる効果を奏する。
【図面の簡単な説明】
【図１】本発明を具備する横型業務用冷蔵庫の正面図である。
【図２】図１のＢーＢ断面図である。
【図３】図１のＡーＡ断面図である。
【図４】収納棚の第１の取付け状態図である。
【図５】図４の上面図である。
【図６】収納棚の冷気の流れを示した図である。
【図７】第２の取付け状態に於ける断熱扉裏面からの正面図である。
【図８】図７の収納棚取付け時の上面図である。
【図９】図８の側面図である。
【図１０】図９の取付け時の斜視図である。
【符号の説明】
１  断熱箱体
２  貯蔵室
３  内箱
４  外箱
５  断熱材
６  開口
７  断熱扉
８  機械室
８Ａ  圧縮機
８Ｂ  凝縮器
１２  冷却器
１４  冷却室
２０  吐出口
２１  ダクト
２２  前面冷気吹出口
２３  側面冷気吹出口
２８  収納棚
３５  隙間
【図１】
0003583805.tif 000002
【図２】
0003583805.tif 000003
【図３】
0003583805.tif 000004
【図４】
0003583805.tif 000005
【図５】
0003583805.tif 000006
【図６】
0003583805.tif 000007
【図７】
0003583805.tif 000008
【図８】
0003583805.tif 000009
【図９】
0003583805.tif 000010
【図１０】
0003583805.tif 000011